(57)【要約】【課題】放射線撮影システムで扱われる患者の個人情報を保護する仕組みを提供する。【解決手段】患者の個人情報を含む検査情報に係る映像を表示するための複数の撮影装置表示部２（２ａ，２ｂ）と、前記映像として表示する検査情報の中から患者の個人情報を抽出する抽出部５３と、抽出部５３で抽出した患者の個人情報の中に検査を行う患者以外の個人情報が含まれているか否かを判定する判定部５７と、判定部５７による判定結果に基づいて、複数の撮影装置表示部２（２ａ，２ｂ）に対する前記映像の映像出力方式を制御する表示制御部５４を備える。【選択図】図５
2013048695.tif 000002
【特許請求の範囲】
【請求項１】
検査の内容に従って、患者に対して放射線を用いた撮影を行う放射線撮影システムであって、
患者の個人情報を含む検査情報に係る映像を表示するための複数の表示手段と、
前記映像として表示する検査情報の中から患者の個人情報を抽出する抽出手段と、
前記抽出手段で抽出した患者の個人情報の中に前記検査を行う患者以外の個人情報が含まれているか否かを判定する判定手段と、
前記判定手段による判定結果に基づいて、前記複数の表示手段に対する前記映像の映像出力方式を制御する出力制御手段と
を有することを特徴とする放射線撮影システム。
【請求項２】
前記映像出力方式は、前記複数の表示手段のうち、全ての表示手段に同一の映像を出力するミラーモードと、いずれかの表示手段のみに映像を出力するシングルモードとを少なくとも備え、
前記出力制御手段は、
前記判定手段において前記抽出手段で抽出した患者の個人情報の中に前記検査を行う患者以外の個人情報が含まれていると判定された場合には、前記映像出力方式を前記シングルモードとし、
前記判定手段において前記抽出手段で抽出した患者の個人情報の中に前記検査を行う患者以外の個人情報が含まれていないと判定された場合には、前記映像出力方式を前記ミラーモードとすることを特徴とする請求項１に記載の放射線撮影システム。
【請求項３】
前記検査を行う患者の個人情報を入力する患者情報入力手段を更に有し、
前記判定手段は、前記患者情報入力手段から入力された患者の個人情報に基づいて、前記抽出手段で抽出した患者の個人情報の中に前記検査を行う患者以外の個人情報が含まれているか否かを判定することを特徴とする請求項１に記載の放射線撮影システム。
【請求項４】
前記出力制御手段は、更に、前記検査を行う患者の個人情報が確定していない場合には、前記映像出力方式を前記シングルモードとすることを特徴とする請求項２に記載の放射線撮影システム。
【請求項５】
前記映像出力方式が前記ミラーモードから前記シングルモードに切り替わる際に、その旨をオペレータに通知する通知手段を更に有することを特徴とする請求項２に記載の放射線撮影システム。
【請求項６】
前記通知手段により通知されたオペレータに、前記シングルモードに切り替えるか否かを選択させるための選択手段を更に有することを特徴とする請求項５に記載の放射線撮影システム。
【請求項７】
前記映像出力方式は、患者の個人情報の表示色と当該個人情報の背景色とを同じ輝度の配色とした映像を出力する同輝度配色モードと、患者の個人情報の表示色と当該個人情報の背景色とを異なる輝度の配色とした映像を出力する異輝度配色モードとを少なくとも備え、
前記出力制御手段は、
前記判定手段において前記抽出手段で抽出した患者の個人情報の中に前記検査を行う患者以外の個人情報が含まれていると判定された場合には、前記映像出力方式を前記同輝度配色モードとし、
前記判定手段において前記抽出手段で抽出した患者の個人情報の中に前記検査を行う患者以外の個人情報が含まれていないと判定された場合には、前記映像出力方式を前記異輝度配色モードとすることを特徴とする請求項１に記載の放射線撮影システム。
【請求項８】
前記出力制御手段は、更に、前記検査を行う患者の個人情報が確定していない場合には、前記映像出力方式を前記同輝度配色モードとすることを特徴とする請求項７に記載の放射線撮影システム。
【請求項９】
前記検査を行う患者の個人情報を入力する患者情報入力手段を更に有し、
前記同輝度配色モードは、前記患者情報入力手段から入力された患者の個人情報の表示色と当該個人情報の背景色とを同じ輝度の配色とした映像を出力することを特徴とする請求項７に記載の放射線撮影システム。
【請求項１０】
前記映像出力方式が前記異輝度配色モードから前記同輝度配色モードに切り替わる際に、その旨をオペレータに通知する通知手段を更に有することを特徴とする請求項７に記載の放射線撮影システム。
【請求項１１】
前記通知手段により通知されたオペレータに、前記同輝度配色モードに切り替えるか否かを選択させるための選択手段を更に有することを特徴とする請求項１０に記載の放射線撮影システム。
【請求項１２】
検査の内容に従って、患者に対して放射線を用いた撮影を行い、患者の個人情報を含む検査情報に係る映像を表示するための複数の表示手段を備えた放射線撮影システムの制御方法であって、
前記映像として表示する検査情報の中から患者の個人情報を抽出する抽出ステップと、
前記抽出ステップで抽出した患者の個人情報の中に前記検査を行う患者以外の個人情報が含まれているか否かを判定する判定ステップと、
前記判定ステップによる判定結果に基づいて、前記複数の表示手段に対する前記映像の映像出力方式を制御する出力制御ステップと
を有することを特徴とする放射線撮影システムの制御方法。
【請求項１３】
検査の内容に従って、患者に対して放射線を用いた撮影を行い、患者の個人情報を含む検査情報に係る映像を表示するための複数の表示手段を備えた放射線撮影システムの制御方法をコンピュータに実行させるためのプログラムであって、
前記映像として表示する検査情報の中から患者の個人情報を抽出する抽出ステップと、
前記抽出ステップで抽出した患者の個人情報の中に前記検査を行う患者以外の個人情報が含まれているか否かを判定する判定ステップと、
前記判定ステップによる判定結果に基づいて、前記複数の表示手段に対する前記映像の映像出力方式を制御する出力制御ステップと
をコンピュータに実行させるためのプログラム。
【発明の詳細な説明】
【技術分野】
【０００１】
本発明は、検査の内容に従って、患者に対して放射線を用いた撮影を行う放射線撮影システム及びその制御方法、並びに、当該制御方法をコンピュータに実行させるためのプログラムに関する。
【背景技術】
【０００２】
従来、対象物の被写体に放射線（例えば、Ｘ線）を照射し、当該被写体を透過した放射線の強度分布を検出して被写体の放射線画像を撮影する放射線撮影装置が知られている。このような装置は、医療分野・産業分野等で主に利用されている。近年では、被写体を透過した放射線を電気信号に変換し、放射線画像をデジタルデータとして取得する技術も広く採用されている。
【０００３】
例えば、医療分野においては、放射線を用いた検査が日常的に行われている。放射線を用いた検査（放射線検査）に際しては、一般に、各診療科の医師によって撮影部位や撮影方法が記載された検査依頼書が作成される。そして、撮影技師は、当該検査依頼書に従って放射線検査を実施する。また、各種の医療装置が接続された院内ネットワークが構築されている病院もある。このようなネットワーク環境が構築されている場合、放射線撮影システムは、病院情報システム（ＨＩＳ）、放射線情報システム（ＲＩＳ）、画像サーバ（ＰＡＣＳ）等と連携して撮影を行う。
【０００４】
院内ネットワークが構築された病院においては、検査依頼書を発行する代わりに、ＨＩＳから検査依頼を発行する。この場合、放射線科では、ＲＩＳにおいて、ＨＩＳからの検査依頼を受け取り、放射線撮影システムにおいて、当該検査依頼に応じた放射線検査を実施する。
【０００５】
そして、放射線検査が終了すると、放射線撮影システムは、ＨＩＳやＲＩＳに対して検査が終了した旨を通知するとともに、撮影画像及び検査情報をＰＡＣＳやプリンタ等に出力する。また、撮影画像及び検査情報を表示装置に表示する場合もある。
【０００６】
これに関連して、下記の特許文献１では、個人情報の漏えいを防止するために、被写体である被験者の撮影室への入退室を認識して撮影画像及び検査情報を表示装置であるディスプレイから消去する方法が提案されている。
【先行技術文献】
【特許文献】
【０００７】
【特許文献１】特開２００７−１１７６３２号公報
【発明の概要】
【発明が解決しようとする課題】
【０００８】
ＲＩＳやＨＩＳから発行された検査情報の一覧や、終了した検査の一覧など、放射線撮影システムには多くの患者の個人情報が表示される。
【０００９】
透視撮影システムを用いた運用では、撮影室にディスプレイを設置し、透視画像を撮影室内で確認しながら患者の手術を行う場合もある。そのため、撮影室のディスプレイに表示された多くの患者の個人情報が、撮影室に入室した患者の目に入る可能性がある。
【００１０】
本発明は、このような問題点に鑑みてなされたものであり、放射線撮影システムで扱われる患者の個人情報を保護する仕組みを提供することを目的とする。
【課題を解決するための手段】
【００１１】
本発明の放射線撮影システムは、検査の内容に従って、患者に対して放射線を用いた撮影を行う放射線撮影システムであって、患者の個人情報を含む検査情報に係る映像を表示するための複数の表示手段と、前記映像として表示する検査情報の中から患者の個人情報を抽出する抽出手段と、前記抽出手段で抽出した患者の個人情報の中に前記検査を行う患者以外の個人情報が含まれているか否かを判定する判定手段と、前記判定手段による判定結果に基づいて、前記複数の表示手段に対する前記映像の映像出力方式を制御する出力制御手段とを有する。
また、本発明は、上述した放射線撮影システムの制御方法、及び、当該制御方法をコンピュータに実行させるためのプログラムを含む。
【発明の効果】
【００１２】
本発明によれば、放射線撮影システムで扱われる患者の個人情報を保護する仕組みを提供することができる。
【図面の簡単な説明】
【００１３】
【図１】本発明の第１の実施形態に係る放射線撮影システム（Ｘ線撮影システム）の概略構成の一例を示す模式図である。
【図２】本発明の第１の実施形態を示し、検査入力画面の一例を示す模式図である。
【図３】本発明の第１の実施形態を示し、撮影画面の一例を示す模式図である。
【図４】本発明の第１の実施形態を示し、実施済検査画面の一例を示す模式図である。
【図５】本発明の第１の実施形態を示し、図１に示す撮影装置制御部における機能的な構成の一例を示すブロック図である。
【図６】本発明の第１の実施形態を示し、図５に示す抽出部において患者の個人情報を抽出する場合に使用する要素情報テーブル構成の一例を示す模式図である。
【図７】本発明の第１の実施形態に係る放射線撮影システム（Ｘ線撮影システム）における制御方法の処理手順の一例を示すフローチャートである。
【図８】本発明の第２の実施形態に係る放射線撮影システム（Ｘ線撮影システム）における制御方法の処理手順の一例を示すフローチャートである。
【発明を実施するための形態】
【００１４】
以下に、図面を参照しながら、本発明を実施するための形態（実施形態）について説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１５】
（第１の実施形態）
まず、本発明の第１の実施形態について説明する。
図１は、本発明の第１の実施形態に係る放射線撮影システム（以下、「Ｘ線撮影システム」と称する）の概略構成の一例を示す模式図である。
【００１６】
図１に示すＸ線撮影システムは、検査の内容に従って、患者（被写体）に対してＸ線（放射線）を用いた撮影を行う。このＸ線撮影システムでは、Ｘ線撮影制御装置１と、ＨＩＳ（院内情報システム）１１と、ＲＩＳ（放射線部門内情報システム）１２と、ＰＡＣＳ（画像サーバ）１３と、プリンタ１４とが接続されている。そして、これらの各装置間は、例えば、ＬＡＮ（Local Area Network）やＷＡＮ（Wide Area Network）等で構成される通信手段１５を介して接続されている。
【００１７】
なお、これらの各装置には、１又は複数のコンピュータが含まれる。コンピュータには、例えば、ＣＰＵ等の主制御手段、ＲＯＭ（Read Only Memory）、ＲＡＭ（Random Access Memory）等の記憶手段が具備される。また、コンピュータには、ネットワークカード等の通信手段、キーボード、ディスプレイ又はタッチパネル等の入出力手段等が具備されていてもよい。これら各構成手段は、バス等により接続され、主制御手段が記憶手段に記憶されたプログラムを実行することで制御される。
【００１８】
ここで、Ｘ線撮影制御装置（放射線撮影制御装置）１は、撮影装置表示部２ａ及び２ｂと、撮影装置操作部３ａ及び３ｂと、Ｘ線発生装置制御部（放射線発生装置制御部）４と、撮影装置制御部５とを具備して構成されている。
【００１９】
Ｘ線発生装置制御部４は、ケーブル９を介してＸ線発生装置（放射線発生装置）８に接続されており、当該Ｘ線発生装置８からのＸ線（放射線）の照射を制御する。ここで、Ｘ線発生装置８は、放射線発生手段として機能する。Ｘ線発生装置８は、例えば、Ｘ線管球により実現され、撮影台６に載置された被写体Ｈ（例えば、患者の特定部位）に向けてＸ線を照射する。
【００２０】
撮影装置制御部５は、Ｘ線撮影制御装置１における処理を統括的に制御する。
【００２１】
撮影装置表示部２ａ及び２ｂは、例えば、液晶ディスプレイ等で実現され、各種情報をオペレータ（撮影技師、医師）に向けて表示する。
【００２２】
撮影装置操作部３ａ及び３ｂは、例えば、マウスや操作ボタン等で実現され、オペレータからの各種指示をＸ線撮影制御装置１内に入力する。なお、撮影装置表示部２ａ及び２ｂ、並びに、撮影装置操作部３ａ及び３ｂは、それらが一体となったタッチパネルで実現されてもよい。
【００２３】
なお、図１に示す構成では、撮影装置表示部２ａ及び２ｂは、それぞれ、操作室及び撮影室に設置され、Ｘ線撮影制御装置１は、撮影装置表示部２ａ及び２ｂへ同一映像を出力する。同様に、撮影装置操作部３ａ及び３ｂも、それぞれ、操作室及び撮影室に設置され、各種指示を撮影装置制御部５へ入力する。ここで、操作室は患者が入室しない部屋であり、撮影室は様々な患者が入室する部屋である。
【００２４】
また、Ｘ線撮影制御装置１（具体的には撮影装置制御部５）は、ケーブル１０を介してＸ線検出装置（放射線検出装置）７に接続されており、当該ケーブル１０により両者の間では、電源、画像信号や制御信号等が授受される。Ｘ線検出装置７は、被写体Ｈを透過したＸ線を検出し、当該被写体Ｈに基づくＸ線画像（放射線画像）を取得する検出手段として機能する。即ち、Ｘ線発生装置８及びＸ線検出装置７が連携して動作することにより、Ｘ線撮影手段が実現される。
【００２５】
以上が本実施形態に係るＸ線撮影システムの概略構成の一例についての説明である。なお、図１に示す構成は、あくまで一例であり、適宜変更可能である。例えば、図１では、Ｘ線撮影制御装置１に対して通信手段１５を介して各種の装置が接続されているが、必ずしもＸ線撮影制御装置１は、このような装置と接続されている必要はない。
【００２６】
ここで、図１に示すＸ線撮影システムにおいて、検査の流れに沿ってＸ線画像を撮影する際の処理の流れについて説明する。
【００２７】
まず、検査依頼書又はＲＩＳ１２からの検査依頼により、Ｘ線撮影制御装置１（具体的には撮影装置操作部３ａ又は３ｂ）に対して、検査情報を入力する。ここで、検査情報には、患者情報と撮影情報が含まれ、患者情報としては、患者名、患者ＩＤなどを含み、撮影情報としては、患者に対して実施する撮影の内容を規定した情報を含む。
【００２８】
図２は、本発明の第１の実施形態を示し、検査入力画面の一例を示す模式図である。ここで、図２は、新規検査ボタン１１４が選択されている状態での検査入力画面の一例を示す模式図である。
【００２９】
Ｘ線撮影制御装置１は、撮影装置表示部２ａ及び２ｂにおいて、図２（ａ）〜図２（ｃ）に示す検査入力画面を必要に応じて表示する。検査入力画面は、図２（ａ）のように、患者情報入力領域１０１と、患者情報確定ボタン１０２と、依頼検査リスト１０３と、患者情報表示領域１０４と、撮影情報表示領域１０５と、撮影情報入力ボタン１０６と、検査開始ボタン１０７とを含んで構成されている。さらに、検査入力画面は、新規検査ボタン１１４と、実施済検査ボタン１１５とを含んで構成されている。患者情報入力領域１０１は、検査の対象となる患者の患者情報の入力を行う患者情報入力手段を構成する。
【００３０】
検査依頼書による検査を実施する場合、オペレータ（撮影技師等）は、患者情報入力領域１０１に検査依頼書に記載の患者情報を入力して患者情報確定ボタン１０２を押下し、患者情報を入力する。すると、患者情報表示領域１０４には、当該入力された患者に対応する患者情報（患者名、患者ＩＤ、生年月日、年齢、性別）が表示される。
【００３１】
また、図２（ｂ）に示すように、撮影情報入力領域１０８が表示され、撮影情報表示領域１０５には、検査ＩＤが表示される。オペレータは、検査依頼書に記載の撮影方法を撮影情報入力領域１０８に表示された撮影方法一覧より探し、撮影方法登録ボタン１０８ａを押下することで当該患者の撮影方法を撮影情報表示領域１０５に登録する。
【００３２】
ＲＩＳ１２からの検査依頼による検査を実施する場合、依頼検査リスト１０３の中からいずれかの検査を選択する。すると、図２（ｃ）に示すように、患者情報表示領域１０４には、当該選択された患者に対応する患者情報（患者名、患者ＩＤ、生年月日、年齢、性別）が表示される。また、撮影情報表示領域１０５には、検査ＩＤが表示され、その直ぐ下の領域には、当該検査ＩＤに対応する撮影情報が表示される。撮影情報は、上述した通り、ＲＩＳ１２から受信する。図２（ｂ）及び図２（ｃ）の場合、撮影情報に対応した撮影方法ボタン（胸部正面ボタン（センサＡ）１０９ａ、胸部側面ボタン（センサＡ）１０９ｂ）が配置されている。ここで、センサＡとは、Ｘ線検出装置７の種類のことである。また、撮影情報入力ボタン１０６の押下に伴って、図２（ｂ）に示すように、撮影情報入力領域１０８を表示し、さらに撮影方法を追加することもできる。オペレータは、患者情報及び撮影情報を確認した後、検査開始ボタン１０７を押下する。これにより、実施する検査の検査情報が確定する。
【００３３】
図３は、本発明の第１の実施形態を示し、撮影画面の一例を示す模式図である。ここで、図３は、新規検査ボタン１１４が選択されている状態での撮影画面の一例を示す模式図である。
【００３４】
検査開始ボタン１０７の押下に伴って、Ｘ線撮影制御装置１は、撮影装置表示部２ａ及び２ｂにおいて、図３に示す撮影画面を必要に応じて表示する。図３に示す撮影画面は、撮影時に用いられる画面である。
【００３５】
図３に示す撮影画面は、基本的には、図２で説明した検査入力画面と同様の表示領域を有して構成される。新たに追加される表示領域としては、図３に示すように、画像表示領域１１０と、メッセージ領域１１１と、画像処理設定領域１１２と、検査終了ボタン１１３とが挙げられる。画像表示領域１１０は、撮影により得られたＸ線画像（放射線画像）を表示する画像表示手段を構成する。
【００３６】
図３に示す撮影画面が表示されると、撮影情報表示領域１０５内で最も上部に配置された撮影方法ボタン１０９ａがデフォルトで選択状態になっている。これに伴って、Ｘ線撮影制御装置１は、撮影装置制御部５において、当該撮影方法ボタン（撮影方法）に対応して設定された撮影条件（管電圧、管電流、照射時間等）をＸ線発生装置制御部４に向けて送信する。すると、撮影装置制御部５は、当該撮影条件に従ってＸ線検出装置７を制御して撮影の準備を整える。撮影の準備が整うと、Ｘ線撮影制御装置１は、撮影可能状態へ遷移する。このとき、メッセージ領域１１１には、撮影可能状態であることを示す「Ｒｅａｄｙ」メッセージが表示される。
【００３７】
続いて、オペレータは、撮影方法を確認し、撮影のセッティング及び患者のポジショニングを行う。一連の撮影準備が完了すると、オペレータは、メッセージ領域１１１を参照して撮影可能状態であることを確認した後、Ｘ線照射スイッチ（不図示）を押下する。すると、Ｘ線撮影制御装置１は、Ｘ線発生装置８において、被写体Ｈ（患者の特定部位）に向けてＸ線を照射させ、Ｘ線検出装置７において、当該被写体Ｈを透過したＸ線を検出させる。これにより、Ｘ線画像の撮影が行われる。
【００３８】
Ｘ線画像の撮影が済むと、Ｘ線撮影制御装置１は、撮影装置制御部５において、Ｘ線検出装置７から撮影画像を取得するとともに、当該取得した撮影画像に対して所定の画像処理条件に基づいて画像処理を実施する。所定の画像処理条件は、撮影方法に対応して予め規定されている。
【００３９】
画像処理が終了すると、Ｘ線撮影制御装置１は、当該画像処理された撮影画像を画像表示領域１１０に表示する。オペレータは、例えば、当該撮影画像のコントラスト等を変更したい場合、画像処理設定領域１１２に設けられたコントラストや輝度等のボタンを操作する。これにより、オペレータは、当該画像表示領域１１０に表示された撮影画像に対して追加の画像処理を実施できる。なお、オペレータが、未撮影の撮影方法ボタン１０９を押下した場合には、当該画像の撮影条件、画像処理条件を保存し、次の撮影が始まる。
【００４０】
オペレータは、上述した手順を繰り返して撮影情報表示領域１０５内の全撮影方法の撮影を実施する。全ての撮影が終了すると、オペレータは、検査終了ボタン１１３を押下する。これにより、一連の検査が終了し、Ｘ線撮影制御装置１は、再度、図２に示す検査入力画面を表示する。このとき、Ｘ線撮影制御装置１は、撮影装置制御部５において、撮影画像や検査情報等を、例えば、ＰＡＣＳ１３、プリンタ１４、ＲＩＳ１２、自装置におけるＲＯＭ（不図示）等に出力する。なお、ＲＩＳ１２やＲＯＭ等においては、当該撮影画像と患者情報とを関連付けて格納する。
【００４１】
新規検査ボタン１１４と実施済検査ボタン１１５とは、図２及び図３に示す新規検査画面群と、図４に示す実施済検査画面群とを切り替えるボタンである。
【００４２】
図４は、本発明の第１の実施形態を示し、実施済検査画面の一例を示す模式図である。
【００４３】
実施済検査ボタン１１５の押下に伴って、Ｘ線撮影制御装置１は、撮影装置表示部２ａ及び２ｂにおいて、図４（ａ）に示す実施済検査選択画面を必要に応じて表示する。実施済検査選択画面は、図４（ａ）のように、実施済検査リスト１２３と、患者情報表示領域１２４と、撮影情報表示領域１２５と、検査再生ボタン１２６とを含んで構成されている。さらに、実施済検査選択画面は、新規検査ボタン１１４と、実施済検査ボタン１１５とを含んで構成されている。
【００４４】
実施した検査を再生する場合、実施済検査リスト１２３の中からいずれかの検査（患者）を選択する。すると、図４（ａ）に示すように、患者情報表示領域１２４には、当該選択された患者に対応する患者情報（患者名、患者ＩＤ、生年月日、年齢、性別）が表示される。また、撮影情報表示領域１２５には、検査ＩＤが表示され、その直ぐ下の領域には、当該検査ＩＤに対応する撮影情報が表示される。図４（ａ）の場合、実施した撮影方法ボタン（胸部正面ボタン（センサＡ）１２９ａ、胸部側面ボタン（センサＡ）１２９ｂ）が配置されている。
【００４５】
オペレータは、患者情報及び撮影情報を確認した後、検査再生ボタン１２６を押下する。これにより、再生する検査の検査情報が確定する。
【００４６】
図４（ｂ）は、本発明の第１の実施形態を示し、再生画面の一例を示す模式図である。
検査再生ボタン１２６の押下に伴って、Ｘ線撮影制御装置１は、撮影装置表示部２ａ及び２ｂにおいて、図４（ｂ）に示す再生画面を表示する。図４（ｂ）に示す再生画面は、基本的には、図３で説明した撮影画面と同様の表示領域を有して構成される。具体的に、図４（ｂ）に示す再生画面には、図３に示す撮影画面と同様の新規検査ボタン１１４及び実施済検査ボタン１１５と、図３に示す画像表示領域１１０に相当する画像表示領域１２０と、図３に示す患者情報表示領域１０４に相当する患者情報表示領域１２４と、図３に示す撮影情報表示領域１０５に相当する撮影情報表示領域１２５と、図３に示す撮影方法ボタン１０９ａ及び１０９ｂに相当する撮影方法ボタン１２９ａ及び１２９ｂと、図３に示す画像処理設定領域１１２に相当する画像処理設定領域１２２が構成されている。図４（ｂ）に示す再生画面において、図３に示す撮影画面と異なる構成は、図３に示すメッセージ領域１１１及び撮影情報入力ボタン１０６が無いことと、図３に示す検査終了ボタン１１３に換えて再生終了ボタン１２７が設けられている点である。
【００４７】
図４（ｂ）に示す再生画面が表示されると、撮影情報表示領域１２５内で最も上部に配置された撮影方法ボタン１２９ａがデフォルトで選択状態になっている。これに伴って、Ｘ線撮影制御装置１は、撮影方法ボタン１２９ａに基づく撮影画像を画像表示領域１２０に表示して再生する。画像表示領域１２０に表示された撮影画像の確認が終了すると、オペレータは、再生終了ボタン１２７を押下する。これにより、Ｘ線撮影制御装置１は、再度、図４（ａ）に示す実施済検査選択画面を表示する。
【００４８】
次に、図１に示す撮影装置制御部５の機能的な構成の一例について説明する。
図５は、本発明の第１の実施形態を示し、図１に示す撮影装置制御部５における機能的な構成の一例を示すブロック図である。
【００４９】
撮影装置制御部５は、画面表示を制御する構成として、取得部５１と、指示検出部５２と、抽出部５３と、表示制御部５４と、格納部５５と、撮影制御部５６と、判定部５７とを具備して構成される。また、例えば、撮影装置制御部５は、患者情報と撮影情報により検査を生成する検査生成手段を構成する。具体的に、例えば、撮影装置制御部５は、患者情報と当該患者情報に係る患者に対して実施する撮影の内容を定めた撮影情報とを含む検査情報を取得し、当該取得した検査情報によって検査を生成する。
【００５０】
取得部５１は、検査情報や画面表示に必要となる情報を取得する。例えば、自装置におけるＲＯＭや、ＰＡＣＳ１３或いは格納部５５（撮影画像格納部５５１）等から撮影画像や当該撮影画像に関連付けられた患者情報を取得する。なお、撮影画像は、当該撮影画像の患者情報と関連付けてＲＯＭやＰＡＣＳ１３或いは格納部５５（撮影画像格納部５５１）等に格納されている。また、取得部５１は、ＲＩＳ１２からの検査依頼に基づく検査情報を、例えば、ＲＯＭ等から取得する。
【００５１】
指示検出部５２は、オペレータによる入力操作に基づいて、表示中の画面に対する表示の切り替えの指示を検出する。具体的には、図２に示す検査入力画面が表示されている時に、オペレータが、マウス等を用いて患者情報確定ボタン１０２を操作した場合、指示検出部５２は、当該操作を検出し、患者情報が確定指示された旨を表示制御部５４及び判定部５７に通知する。
【００５２】
撮影制御部５６は、例えば、指示された撮影方法に係る放射線検出装置を用いて患者の放射線画像の撮影の制御を行う。また、撮影制御部５６は、例えば、指示された撮影方法に係る撮影条件を用いて患者の放射線画像の撮影の制御を行う。また、図３の画像表示領域１１０には、例えば、指示された撮影方法に係る画像処理条件を用いて画像処理を施した放射線画像が表示される。
【００５３】
抽出部５３は、表示制御部５４より出力される映像内に含まれている患者の個人情報を抽出する。なお、本実施形態においては、例えば、患者の個人情報とは、患者ＩＤ、患者名、生年月日などの患者を特定する情報である。
【００５４】
図６は、本発明の第１の実施形態を示し、図５に示す抽出部５３において患者の個人情報を抽出する場合に使用する要素情報テーブル構成の一例を示す模式図である。具体的に、図６に示す要素情報テーブルには、画面ＩＤ、画面名称、要素ＩＤ、要素名称の各項目が定められている。
【００５５】
抽出部５３は、画面遷移等で表示更新する場合に、表示制御部５４より更新後の画面ＩＤの通知を受ける。そして、抽出部５３は、通知された画面ＩＤに含まれる要素により表示される患者の個人情報を抽出し、判定部５７に抽出結果を通知する。
【００５６】
判定部５７は、抽出部５３で抽出された患者の個人情報の中に、当該患者以外の個人情報（即ち検査を行う患者以外の個人情報）が含まれているか否かを判定する。具体的に、判定部５７は、指示検出部５２により通知された患者情報と抽出部５３より通知された患者の個人情報との比較を行い、患者情報と異なる患者の個人情報が抽出されている場合には、当該患者以外の個人情報が表示される旨を表示制御部５４へ通知する。
【００５７】
表示制御部５４は、取得部５１により取得された検査情報や撮影画像等に基づいて表示画面（表示画像）を生成する。また、表示制御部５４には、判定部５７による判定結果に基づいて、複数の撮影装置表示部２ａ及び２ｂへの映像の映像出力方式を制御する出力制御部（不図示）が具備されている。複数の撮影装置表示部２ａ及び２ｂのうちのいずれかが予め主の表示部として設定されており、出力制御部は、判定部５７より当該患者以外の個人情報の表示通知を受けた場合、主と設定された表示部以外の撮影装置表示部２への映像出力を停止する。ここで、本実施形態においては、複数の撮影装置表示部２ａ及び２ｂのうち、患者が入室しない操作室に配置されている撮影装置表示部２ａが、予め主の表示部として設定されているものとする。一方、出力制御部は、判定部５７より当該患者情報以外の個人情報の非表示通知を受けた場合、全ての撮影装置表示部２ａ及び２ｂへの映像出力を開始する。
【００５８】
ここで、図７を用いて、図１に示すＸ線撮影システムにおいて、検査を実施する際の映像出力制御処理の流れについて説明する。
図７は、本発明の第１の実施形態に係る放射線撮影システム（Ｘ線撮影システム）における制御方法の処理手順の一例を示すフローチャートである。実施対象（検査対象）の患者情報に応じた表示更新処理について説明する。
【００５９】
まず、ステップＳ２０１において、撮影装置制御部５は、検査を実施する患者情報が確定しているか否かを判断する。この判断の結果、患者情報が確定している場合には（Ｓ２０１／ＹＥＳ）、ステップＳ２０２へ進む。
【００６０】
ステップＳ２０２に進むと、撮影装置制御部５は、表示する画面の個人情報表示要素から、表示する個人情報を抽出する。例えば、抽出部５３は、表示更新の際に表示制御部５４より通知された画面ＩＤを用いて、図６に示す要素情報テーブルより個人情報表示要素を特定し、これらの要素に示されている個人情報を抽出し、判定部５７へと通知する。
【００６１】
続いて、ステップＳ２０３において、判定部５７は、抽出部５３から通知された個人情報の中に、当該患者以外の個人情報（即ち検査を行う患者以外の個人情報）が含まれるか否かを判定（判断）する。この判定（判断）の結果、通知された個人情報の中に当該患者以外の個人情報が含まれている場合には（Ｓ２０３／ＹＥＳ）、ステップＳ２０４へ進む。
【００６２】
例えば、図３に示す撮影画面において実施済検査ボタン１１５が押され、図４（ａ）に示す実施済検査選択画面を表示する表示更新を処理する場合、判定部５７は、実施済検査リスト１２３に当該患者以外の個人情報が含まれていると判定する。
【００６３】
ステップＳ２０４に進むと、表示制御部５４（出力制御部）は、判定部５７から当該患者以外の個人情報表示通知を受け、主の表示部以外の撮影装置表示部２への映像出力を停止する。ここで、本実施形態では、主の表示部として操作室に配置されている撮影装置表示部２ａが設定されているため、ステップＳ２０４では、撮影室に配置されている撮影装置表示部２ｂへの映像出力が停止されることになる。即ち、このステップＳ２０４における映像出力方式は、主の表示部として操作室に配置されている撮影装置表示部２ａのみに映像を出力するモード（シングルモード）である。また、本実施形態においては、例えば、撮影室に設置された撮影装置表示部２ｂへの映像出力を停止する前に、オペレータに映像出力を停止する旨を通知し、さらに、オペレータに映像出力を停止するか否かを選択させるようにしてもよい。
【００６４】
一方、ステップＳ２０３の判定（判断）の結果、通知された個人情報の中に当該患者以外の個人情報が含まれていない場合には（Ｓ２０３／ＮＯ）、ステップＳ２０５へ進む。
【００６５】
例えば、図４（ａ）に示す実施済検査選択画面において新規検査ボタン１１４が押され、図３に示す撮影画面を再度表示する表示更新を処理する場合、判定部５７は、当該患者以外の個人情報が含まれていないと判定する。
【００６６】
ステップＳ２０５に進むと、表示制御部５４（出力制御部）は、判定部５７から当該患者以外の個人情報非表示通知を受け、全ての撮影装置表示部２ａ及び２ｂへの映像出力を開始する。このステップＳ２０５における映像出力方式は、全ての撮影装置表示部２ａ及び２ｂに同一の映像を出力するモード（ミラーモード）である。
【００６７】
また、ステップＳ２０１の判断の結果、患者情報が確定していない場合には（Ｓ２０１／ＮＯ）、ステップＳ２０４へ進み、主の表示部以外の撮影装置表示部２（２ｂ）への映像出力を停止する。
【００６８】
そして、ステップＳ２０４又はステップＳ２０５の出力制御処理が終了すると、図７のフローチャートの処理は終了する。
【００６９】
なお、本実施形態では、例えば、映像出力方式が、当初ミラーモードであった場合であって、その後、シングルモードに切り替わる場合には、その旨をオペレータに通知し、さらに、オペレータにシングルモードに切り替えるか否かを選択させるようにしてもよい。
【００７０】
以上、説明した第１の実施形態によれば、操作室の撮影装置表示部２ａを主の表示部として予め設定しておくことで、検査を行う患者以外の個人情報を含む映像が、患者の入室する撮影室の撮影装置表示部２ｂに出力されなくなる。また、当該患者の撮影を実施する画面を、当該患者以外の個人情報を含まない画面構成とすることで、撮影に関する情報を撮影室の撮影装置表示部２ｂにも出力することができる。
【００７１】
（第２の実施形態）
次に、本発明の第２の実施形態について説明する。
第１の実施形態においては、個人情報表示判定結果に基づいて、主の表示部以外の撮影装置表示部２（２ｂ）への映像出力を停止する場合について説明した。第２の実施形態においては、検査を行う患者以外の個人情報の表示色と背景色を同輝度（同明度）の配色とする場合について説明する。
【００７２】
第２の実施形態に係る放射線撮影システム（Ｘ線撮影システム）の概略構成は、図１に示す第１の実施形態に係る放射線撮影システム（Ｘ線撮影システム）の概略構成と同様である。また、第２の実施形態に係る撮影装置制御部５における機能的な構成は、図５に示す第２の実施形態に係る撮影装置制御部５における機能的な構成と同様である。
【００７３】
第２の実施形態においては、図１に示す操作室の撮影装置表示部２ａをカラー映像を出力するディスプレイとし、図１に示す撮影室の撮影装置表示部２ｂをモノクロ映像を出力するディスプレイとする。
【００７４】
判定部５７より当該患者以外の個人情報表示通知を受けると、表示制御部５４は、要素情報テーブルに含まれる個人情報表示要素における個人情報表示色と当該個人情報表示要素の背景色とを同輝度（同明度）の配色とし、全ての撮影装置表示部２ａ及び２ｂへ映像出力する。
【００７５】
モノクロ映像を出力する撮影室内の撮影装置表示部２ｂでは、色相、彩度の違いの影響がなく、個人情報表示要素における個人情報表示色と当該個人情報表示要素の背景色とが同一色として出力されるため、個人情報を読み取ることができない映像が出力される。一方、カラー映像を出力する操作室内の撮影装置表示部２ａでは、色相、彩度の違いによって、個人情報を読み取ることができる映像が出力される。
【００７６】
ここで、撮影室に設置された撮影装置表示部２ｂの映像が個人情報を読み取れない映像となる前に、オペレータに配色が変わる旨を通知し、さらに、オペレータに配色を変えるか否かを選択させるようにしてもよい。
【００７７】
一方、判定部５７より当該患者以外の個人情報非表示通知を受けると、表示制御部５４は、要素情報テーブルに含まれる個人情報表示要素における個人情報表示色と当該個人情報表示要素の背景色とを異輝度（異明度）の配色とし、全ての撮影装置表示部２ａ及び２ｂへ映像出力する。この場合は、カラー出力映像、モノクロ出力映像に関わらず、個人情報を読み取ることができる映像が出力される。
【００７８】
ここで、図８を用いて、図１に示すＸ線撮影システムにおいて、検査を実施する際の映像出力制御処理の流れについて説明する。
図８は、本発明の第２の実施形態に係る放射線撮影システム（Ｘ線撮影システム）における制御方法の処理手順の一例を示すフローチャートである。図８において、図７に示す処理ステップと同様の処理ステップについては、同じステップ番号を付しており、その詳細な処理の説明は省略する。
【００７９】
まず、第２の実施形態における処理では、図７に示すステップＳ２０１〜ステップＳ２０３の処理を経る。
【００８０】
ステップＳ２０１において患者情報が確定していないと判断された場合（Ｓ２０１／ＮＯ）、或いは、ステップＳ２０３において通知された個人情報の中に当該患者以外の個人情報が含まれている場合には（Ｓ２０３／ＹＥＳ）、ステップＳ２１１へ進む。
【００８１】
ステップＳ２１１に進むと、表示制御部５４（出力制御部）は、判定部５７から当該患者以外の個人情報表示通知を受け、当該患者以外の個人情報表示要素の表示色と当該個人情報表示要素の背景色とを同輝度（同明度）の配色として、全ての撮影装置表示部２ａ及び２ｂへ映像を出力する。このステップＳ２１１における映像出力方式は、患者の個人情報の表示色と当該個人情報の背景色とを同じ輝度の配色とした映像を出力するモード（同輝度配色モード）である。
【００８２】
一方、ステップＳ２０３において通知された個人情報の中に当該患者以外の個人情報が含まれていない場合には（Ｓ２０３／ＮＯ）、ステップＳ２１２へ進む。
【００８３】
ステップＳ２１２に進むと、表示制御部５４（出力制御部）は、判定部５７から当該患者以外の個人情報非表示通知を受け、当該患者の個人情報表示要素の表示色と当該個人情報表示要素の背景色とを異輝度（異明度）の配色として、全ての撮影装置表示部２ａ及び２ｂへ映像を出力する。このステップＳ２１２における映像出力方式は、患者の個人情報の表示色と当該個人情報の背景色とを異なる輝度の配色とした映像を出力するモード（異輝度配色モード）である。
【００８４】
そして、ステップＳ２１１又はステップＳ２１２の出力制御処理が終了すると、図８のフローチャートの処理は終了する。
【００８５】
なお、本実施形態では、例えば、映像出力方式が、当初異輝度配色モードであった場合であって、その後、同輝度配色モードに切り替わる場合には、その旨をオペレータに通知し、さらに、オペレータに同輝度配色モードに切り替えるか否かを選択させるようにしてもよい。
【００８６】
以上、説明した第２の実施形態によれば、検査を行う患者以外の個人情報の表示色と背景色とを同輝度（同明度）の配色とすることで、モノクロ映像を出力する撮影室の撮影装置表示部２ｂでは、当該患者以外の個人情報を読み取ることができない映像が出力される。一方、カラー映像を出力する操作室の撮影装置表示部２ａでは、全ての個人情報を読み取ることができる映像が出力される。
【００８７】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【００８８】
なお、上述した本発明の実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８９】
２（２ａ，２ｂ）  撮影装置表示部、３（３ａ，３ｂ）  撮影装置操作部、５  撮影装置制御部、５１  取得部、５２  指示検出部、５３  抽出部、５４  表示制御部、５５  格納部、５６  撮影制御部、５７  判定部
【図１】
2013048695.tif 000003
【図２】
2013048695.tif 000004
【図３】
2013048695.tif 000005
【図４】
2013048695.tif 000006
【図５】
2013048695.tif 000007
【図６】
2013048695.tif 000008
【図７】
2013048695.tif 000009
【図８】
2013048695.tif 000010